(57)【特許請求の範囲】
【請求項１】
メガネレンズ（２）が、ノーズブリッジ（５）の端部とテンプルヒンジ（８）のヒンジ要素（６）の端部を収容するための外縁側の貫通孔（３）を備えている、メガネ（１）において、
ノーズブリッジ（５）とヒンジ要素（６）用の第１の貫通孔（３）に、ノーズブリッジ（５）とヒンジ要素（６）をメガネレンズ（２）に固定する合成樹脂糸（９）を通すためのそれぞれ２つの第２及び第３の貫通孔（３ａ，３ｂ）が付設されていることを特徴とするメガネ。
【請求項２】
貫通孔（３〜３ｂ）が、一列に配設されており、レンズ縁部（２ａ）から最も遠くに離れた第１の貫通孔（３）が、ノーズブリッジ（５）もしくはヒンジ要素（６）の曲げられた端部（４）を収容するために使用され、第２及び第３の貫通孔（３ａ，３ｂ）が、固定糸（９）を通すため及び固定糸結節を収容するために使用されることを特徴とする請求項１に記載のメガネ。
【請求項３】
ノーズブリッジ（５）もしくはヒンジ要素（６）を収容するための第１の貫通孔（３）に隣接する第２の貫通孔（３ａ）の直径が、固定糸結節を収容するために部分的に拡大されており、これにより、第２の貫通孔（３ａ）が、固定糸（９）を通すための小さい直径の領域（１０）と、固定糸結節を収容するための大きい直径の領域（１１）とを備えることを特徴とする請求項１又は２に記載のメガネ。
【請求項４】
端部（４）を第１の貫通孔（３）内に挿入されるノーズブリッジ（５）もしくはヒンジ要素（６）を固定する際に、固定糸（９）が、メガネレンズ（２）の外縁部（２ａ）においてノーズブリッジ（５）もしくはヒンジ要素（６）に巻き付けられ、２重糸としてメガネレンズ（２）の反対側から第３の貫通孔（３ｂ）に通され、差し込まれたノーズブリッジ（５）もしくはヒンジ要素（６）の両側を通され、糸を交差させた後、ノーズブリッジ（５）もしくはヒンジ要素（６）の両外側を通して第２の貫通孔（３ａ）内に入れられ、そしてこの第２の貫通孔内で、固定のために必要な緊張を構成しつつ結ばれていることを特徴とする請求項１〜３のいずれか１つに記載のメガネ。
【発明の詳細な説明】
【技術分野】
【０００１】
本発明は、メガネレンズが、ノーズブリッジの端部とテンプルヒンジのヒンジ要素の端部を収容するための外縁側の貫通孔を備えている、メガネに関する。
【背景技術】
【０００２】
メガネレンズが、閉鎖されたメガネフレーム内に収容されているにしろ、フレームの部分しか形成されていないにしろ、異なったメガネ構成があり、メガネレンズは、例えば、特許文献１、特許文献２、特許文献３、特許文献４又は特許文献５に記載されているように、通常は、ほぼ扇形の弧内にナイロン糸等によって保持されている。
【０００３】
金属線材を介する固定を、特許文献６、特許文献７又は特許文献８は示し、いわゆるフレームのない又はオールレンズのメガネも開示されているが、これらのメガネの場合、ノーズブリッジと、メガネテンプルを担持するヒンジ要素とは、メガネレンズにおける孔内にネジ留めされている。この様式の構造は、例えば特許文献９から公知である。変更を加えた形成を、いくつかの例だけを挙げるために、例えば、特許文献１０、特許文献１１、特許文献１２、特許文献１３又は特許文献１４は示す。
【０００４】
メガネレンズに直接ネジによってフレーム要素を固定することは、確かに既に非常に良好な結果へと導くが、もっとも、フレーム要素の固定部をできるだけ見えないようにすることに努力がなされる。
【特許文献１】旧東独国特許第３７２号明細書
【特許文献２】旧東独国特許第２０６２号明細書
【特許文献３】独国実用新案第８５  ２６  ２６７号明細書
【特許文献４】独国実用新案第２９９  １９  ０３９号明細書
【特許文献５】独国実用新案第２００  ０２  ８６３号明細書
【特許文献６】米国特許第５  ７４８  ２８０号明細書
【特許文献７】米国特許第６  ０７０  ９７８号明細書
【特許文献８】独国実用新案第２９５  １５  ００８号明細書
【特許文献９】独国実用新案第２９９  ０１  ３４７号明細書
【特許文献１０】米国特許第２  ５８８  ５０５号明細書
【特許文献１１】米国特許第５  ６５９  ３８０号明細書
【特許文献１２】米国特許第５  ６８４  ５５９号明細書
【特許文献１３】仏国特許第６０７  ２１４号明細書
【特許文献１４】国際公開第９７／２１１３３号パンフレット
【発明の開示】
【発明が解決しようとする課題】
【０００５】
ここで、本発明の課題は、一方ではノーズブリッジの端部の、他方ではテンプルヒンジのヒンジ要素の端部の視覚的にほとんど認識可能でない固定を達成することである。
【課題を解決するための手段】
【０００６】
冒頭で述べた様式のめがねの場合、この課題は、本発明によれば、ノーズブリッジとヒンジ要素用の第１の貫通孔に、ノーズブリッジとヒンジ要素をメガネレンズに固定する合成樹脂糸を通すためのそれぞれ２つの第２及び第３の貫通孔が付設されていることによって解決される。
【０００７】
合成樹脂糸、例えばナイロン糸によるフレーム要素の固定は、可能性を、即ち、オールレンズメガネの極端に繊細な形成を与える。何故なら、固定要素は、ほとんどもう見えないからである。透明な合成樹脂糸を使用するという可能性によって、この効果は、未だ付加的に支援される。
【０００８】
本発明の形態は、従属請求項から得られる。その場合、貫通孔は、一列に配設されており、レンズ縁部から最も遠くに離れた第１の貫通孔が、ノーズブリッジもしくはヒンジ要素の曲げられた端部を収容するために使用され、第２及び第３の貫通孔が、固定糸を通すため及び固定糸結節を収容するために使用されるように構成することができる。
【０００９】
本発明の別の形態は、ノーズブリッジもしくはヒンジ要素を収容するための第１の貫通孔に隣接する第２の貫通孔の直径が、固定糸結節を収容するために部分的に拡大されており、これにより、第２の貫通孔が、固定糸を通すための小さい直径の領域と、固定糸結節を収容するための大きい直径の領域とを備える点にある。この形成は、若干拡大された孔領域をメガネレンズ内に設け、この孔領域内で、固定糸の端部結節が位置決め可能であり、従って、糸が、固定されるメガネレンズの外郭を超えて突出しないことを可能にする。
【００１０】
それぞれのメガネレンズにおける線材端部の非常に強固な固定は、端部を第１の貫通孔内に挿入されるノーズブリッジもしくはヒンジ要素を固定する際に、固定糸が、メガネレンズの外縁部においてノーズブリッジもしくはヒンジ要素に巻き付けられ、２重糸としてメガネレンズの反対側から第３の貫通孔に通され、差し込まれたノーズブリッジもしくはヒンジ要素の両側を通され、糸を交差させた後、ノーズブリッジもしくはヒンジ要素の両外側を通して第２の貫通孔内に入れられ、そしてこの第２の貫通孔内で、固定のために必要な緊張を構成しつつ結ばれていることによって得ることができる。
【発明を実施するための最良の形態】
【００１１】
本発明の更なる特徴、詳細及び利点を、後続の説明に基づいて、並びに図面を基にして明らかにする。
【００１２】
一般的に１で指示されたメガネは、いわゆるオールレンズメガネとして形成されている。即ち、２で指示されたレンズは、いかなる固有の縁をも備えず、むしろ、それぞれのメガネレンズは、外縁側に、一般的に３で指示された３つの貫通孔を備えており、図２では、これらの貫通孔が、良好に区別するために３，３ａ及び３ｂで指示されている。これらの貫通孔は、５で指示されたノーズブリッジであっても、詳細には図示されてないヒンジ８の前のその６で指示されたメガネテンプル７のヒンジ要素であっても、その形態には、ここでは特にこだわらないが、特に折り曲げられた端部４を収容するために使用される。
【００１３】
この場合、ノーズブリッジ５もしくはヒンジ要素６は、ナイロン糸９によって、しかも図２に図示された方法でメガネレンズ２に固定されている。先ず、ループにされたナイロン糸９の端部が、メガネレンズ２の外縁部２ａの最も近くに位置する孔３ｂを経て案内され、糸は、交差させてレンズ２の表面において巻き付けられ、隣接する孔３ａを経て案内される。次に、構成されたループは、図２から、即ち第３の部分から分かるように、レンズ２の外縁部２ａの周りに巻き付けられる。今や、テンプルもしくは相応の要素、例えば６は、ループに通され、その折り曲げられた端部４を内側の孔３内へと挿入され、糸は、きつく引っ張られて結ばれる。
【００１４】
特に図２から分かるように、貫通孔３ａは、段付きに形成されている。即ち、この貫通孔は、メガネレンズの外側の方向に位置決めされている小さい直径１０の領域と、一般的に１１で指示され、詳細には示されてない結節を収容するために使用される大きい直径の領域を有する。
【００１５】
当然、説明した本発明の実施例は、更に多くの点で、基本思想から離れることなしに変更を加えることができる。従って、例えば、後から結ぶべき両方の糸の端部を介して、小さいディスクを差し込むことができ、このディスクは、結節を強固に固定するために、孔領域１１から孔領域１０への移行部の縁部に位置し、ノーズブリッジ形状は、ヒンジ等と同様に、メガネにおいて通常のそれぞれ任意の様式を占める。
【図面の簡単な説明】
【００１６】
【図１】固定された及び解体されたメガネテンプルを有する本発明によるメガネの簡略化した立体図を示す。
【図２】メガネレンズの縁部領域内の固定線材の結節及び固定技術の４つの段階を示す。
【符号の説明】
【００１７】
１      メガネ
２      レンズ
２ａ    外縁部
３      貫通孔
３ａ    貫通孔
３ｂ    貫通孔
４      端部
５      ノーズブリッジ
６      要素
７      メガネテンプル
８      ヒンジ
９      ナイロン糸
１０    小さい直径
１１    大きい直径
【図１】
0004249704.tif 000002
【図２】
0004249704.tif 000003